(57)【特許請求の範囲】
【請求項１】
吸気口と吐出口とを有する本体ケースの内部に、吸気口から吸い込んだ室内の空気を吐出口から吐出させる通風ファンと、通風ファンの吸気流側に配置されるフィルタと、通風ファンの吐出流側に配置される静電霧化装置とが設けられ、静電霧化装置は、上記吐出口の近傍に配置される霧化電極と、霧化電極を冷却して結露させるための冷却手段と、冷却手段で発生した熱を放熱する放熱フィンと、霧化電極に高電圧を印加して霧化電極で結露した水を静電霧化させる電圧印加部とを備え、静電霧化により発生したミストを上記通風ファンにより吐出口から吐出させると共に上記通風ファンにより放熱フィンを冷却するようにし、上記本体ケースの吐出口における上記霧化電極から離れた位置に、マイナスの高電圧が印加されるイオン化手段を設けると共に、上記フィルタをプラスの高電圧が印加される電気式集塵フィルタで構成し、上記吐出口から吐出する空気に上記イオン化手段により負イオンを供給することで、負イオンに帯電した室内の塵埃を上記本体ケースの吸気口より吸い込んで上記電気式集塵フィルタで集塵するようにしたことを特徴とする空気調和機。
【請求項２】
上記フィルタを通風抵抗が小さくなる形状に形成し、静電霧化装置の複数枚の放熱フィンを通風ファンの通風方向と略平行に向けて配置し、通風ファンをクロスフローファンで構成したことを特徴とする請求項１記載の空気調和機。
【請求項３】
上記クロスフローファンを縦方向に立設すると共に、本体ケースの吐出口を縦長状としたことを特徴とする請求項２記載の空気調和機。
【請求項４】
上記本体ケースの吐出口は、本体ケースの前面に設けた第１吐出口と、本体ケースの側面に設けた第２吐出口とを有し、静電霧化装置の霧化電極を第１吐出口側に設け、静電霧化装置の放熱フィンを第２吐出口側に設けたことを特徴とする請求項１乃至３のいずれかに記載の空気調和機。
【請求項５】
上記本体ケースの吐出口は、本体ケースの前面に設けた第１吐出口と、本体ケースの側面に設けた第２吐出口とを有し、第１吐出口側に、静電霧化装置の霧化電極とイオン化手段とを配置したことを特徴とする請求項１記載の空気調和機。
【請求項６】
上記第２吐出口からの風量が第１吐出口からの風量よりも大きくなるように第１吐出口と第２吐出口の開口面積を異ならせたことを特徴とする請求項４又は５記載の空気調和機。
【請求項７】
上記イオン化手段を静電霧化装置の霧化電極よりも上方に配置したことを特徴とする請求項３記載の空気調和機。
【請求項８】
上記静電霧化装置の霧化電極を本体ケースの吐出口の上下方向の略中央に配置すると共に、霧化電極の上方及び下方にイオン化手段をそれぞれ配置したことを特徴とする請求項３記載の空気調和機。
【請求項９】
上記静電霧化装置の霧化電極とイオン化手段とを、本体ケースの吐出口の横方向に並列に配置したことを特徴とする請求項３記載の空気調和機。
【請求項１０】
上記イオン化手段を、吐出口における静電霧化装置の霧化電極よりも本体ケースの吸気口に近い位置に配置したことを特徴とする請求項９記載の空気調和機。
【発明の詳細な説明】
【技術分野】
【０００１】
本発明は、部屋の空気調和（冷暖房や除湿）を行なうための空気調和機に関し、詳しくはミストを発生させることができる静電霧化装置を組み込んだ空気調和機するものである。
【背景技術】
【０００２】
従来、吸気口から吸込んだ空気をフィルタで浄化して吐出口から吐出させる送風部を有する空気調和機において、水溜め部と、該水溜め部の水を水溜め部の外部に位置する先端側へ搬送する搬送部と、搬送部に対向するように配置された電極と、搬送部と電極との間に高電圧を印加する電圧印加部とを備えて搬送部と電極との間に高電圧を印加することにより搬送部の水が霧化してミストを発生させる静電霧化装置を設けた空気調和機が知られている（例えば、特許文献１参照）。
【０００３】
ところが上記特許文献１に示される従来例にあっては、静電霧化装置の水溜め部への水の補給が必要である。通常の家庭においては、空気調和機は室内の最上部に設置されることが殆どで、水溜め部へ水を使用者の手で供給することは極めて手間のかかるものとなってしまう。また空気調和機により空気を冷却する際に熱交換器から発生する水を利用する方法もあるが、これは冷房時と除湿時にのみ可能であり、暖房時においては水を供給することができないために静電霧化装置も機能しないものである。
【特許文献１】特開２００４−８５１８５号公報
【発明の開示】
【発明が解決しようとする課題】
【０００４】
本発明は上記の従来の問題点に鑑みて発明したものであって、静電霧化装置を長時間安定して使用でき、しかも、静電霧化装置により発生したミスト量を減少させずに、吐出口から室内に広く行き渡らせることができ、さらに、静電霧化装置への水の供給が不要となり、そのうえ静電霧化装置の放熱フィンの帯電や劣化を防ぐことができる空気調和機を提供することを課題とするものである。
【課題を解決するための手段】
【０００５】
上記課題を解決するために本発明に係る空気調和機は、吸気口２と吐出口３とを有する本体ケース１ａの内部に、吸気口２から吸い込んだ室内の空気を吐出口３から吐出させる通風ファン４と、通風ファン４の吸気流側に配置されるフィルタと、通風ファン４の吐出流側に配置される静電霧化装置１０とが設けられ、静電霧化装置１０は、上記吐出口３の近傍に配置される霧化電極１１と、霧化電極１１を冷却して結露させるための冷却手段１２と、冷却手段１２で発生した熱を放熱する放熱フィン１３と、霧化電極１１に高電圧を印加して霧化電極１１で結露した水を静電霧化させる電圧印加部とを備え、静電霧化により発生したミストを上記通風ファン４により吐出口３から吐出させると共に上記通風ファン４により放熱フィン１３を冷却するようにし、上記本体ケース１ａの吐出口３における霧化電極１１から離れた位置に、マイナスの高電圧が印加されるイオン化手段１５を設けると共に、上記フィルタをプラスの高電圧が印加される電気式集塵フィルタ５ａで構成し、吐出口３から吐出する空気にイオン化手段１５により負イオンを供給することで、負イオンに帯電した室内の塵埃を本体ケース１ａの吸気口２より吸い込んで電気式集塵フィルタ５ａで集塵するようにしたことを特徴としている。
【０００６】
このような構成とすることで、フィルタで清浄化された空気を静電霧化装置１０に通すことにより、電圧印加部に微細な埃が付着することがなく、しかも、ミストを搬送する気流が浄化されているので、吐出前のミストに微細な埃や臭気成分を付着させることがなく、従って、静電霧化装置１０により発生したミスト量を減少させずに、吐出口３から室内に広く行き渡らせることができ、さらに、静電霧化装置１０は霧化電極１１の結露した水を静電霧化させてミストを生成するので、静電霧化装置１０への水の供給が不要となり、水補給の手間が要らず、そのうえ、通風ファン４により放熱フィン１３を冷却することで放熱フィン１３の熱交換効率を高めることができると共に、放熱フィン１３を冷却する気流も浄化されているので、放熱フィン１３の帯電や劣化を防ぐことができる。
さらに、上記フィルタとして通気抵抗が低い電気式集塵フィルタ５ａを用いたので、圧力損失を少なくでき、吐出口３からの浄化空気の風量を増やすことができ、従って、静電霧化により発生するミストを室内にさらに広く行き渡らせることができる。また、イオン化手段１５を霧化電極１１から離して配置したので、静電霧化装置１０で発生するミストに負イオンが触れにくくなり、負イオンがミストに吸収されて減少するという悪影響をなくすことができる。従って、イオン化手段１５から発生するアクティブな負イオンを室内の居住空間に吹き出して、浮遊するウイルスやアレルゲン物質を抑制することができ、塵埃を負イオンに帯電させて吸気口２より吸い込み、電気式集塵フィルタ５ａで効率良く集塵することができる。
【０００７】
また、上記フィルタを通風抵抗が小さくなる形状に形成し、静電霧化装置１０の複数枚の放熱フィン１３を通風ファン４の通風方向と略平行に向けて配置し、通風ファン４をクロスフローファン４ａで構成したことを特徴とするのが好ましく、これにより、外形寸法が小さい筒形状のクロスフローファン４ａを用いることで本体ケース１ａの薄型化が可能となる。そのうえフィルタ及び放熱フィン１３の通風抵抗を小さくして圧力損失を小さくできるので、クロスフローファン４ａからの風量を十分に確保できるようになる、
また、上記クロスフローファン４ａを縦方向に立設すると共に、本体ケース１ａの吐出口３を縦長状としたことを特徴とするのが好ましく、これにより、本体ケース１ａ内部でのクロスフローファン４ａの設置面積を小さくできると共に、静電霧化装置１０からのミストを縦方向に立設されたクロスフローファン４ａにより縦長状の吐出口３から室内の居住空間に効率良く拡散させることができる。また吐出口３を縦長に形成することにより、縦長の均一な気流が発生し、室内の空気への循環が良くなる。
【０００９】
また、上記本体ケース１ａの吐出口３は、本体ケース１ａの前面１ｂに設けた第１吐出口３ａと、本体ケース１ａの側面１ｄに設けた第２吐出口３ｂとを有し、静電霧化装置１０の霧化電極１１を第１吐出口３ａ側に設け、静電霧化装置１０の放熱フィン１３を第２吐出口３ｂ側に設けたことを特徴とするのが好ましく、これにより、本体ケース１ａの前面１ｂの第１吐出口３ａからミストを、室内の居住空間に清浄化された空気に乗せて効果的に吹き出すことができる。一方、静電霧化装置１０が配置されない第２吐出口３ｂ側に放熱フィン１３を配置したので、ミストを含まない清浄化された空気で放熱フィン１３を冷却することにより、放熱フィン１３の帯電や劣化を防ぐことができ、放熱フィン１３の熱交換効率を高め、静電霧化装置１０のミスト発生量を長期間安定させることができる。
【００１０】
また、上記本体ケース１ａの吐出口３は、本体ケース１ａの前面１ｂに設けた第１吐出口３ａと、本体ケース１ａの側面１ｄに設けた第２吐出口３ｂとを有し、第１吐出口３ａ側に、静電霧化装置１０の霧化電極１１とイオン化手段１５とを配置したことを特徴とするのが好ましく、これにより、本体ケース１ａの前面１ｂの第１吐出口３ａから、室内の居住空間内の浮遊カビや悪臭に作用して抑制するミストと共に、室内の居住空間内に浮遊するウイルスやアレルゲン物質を抑制する負イオンを吹き出させることができる。
【００１１】
また、上記第２吐出口３ｂからの風量が第１吐出口３ａからの風量よりも大きくなるように第１吐出口３ａと第２吐出口３ｂの開口面積を異ならせたことを特徴とするのが好ましく、これにより、本体ケース１ａの前面１ｂの第２吐出口３ｂの風量が側面１ｄの第１吐出口３ａの風量よりも小さくなり、本体ケース１ａの前面１ｂから吹き出される気流によるドラフト感を緩和することができる。
【００１２】
また、上記イオン化手段１５を静電霧化装置１０の霧化電極１１よりも上方に配置したことを特徴とするのが好ましく、これにより、イオン化手段１５より発生する負イオンは静電霧化により発生するミストよりも軽いため、イオン化手段１５を霧化電極１１よりも上方に配置することで、静電霧化にて生成されたミストに負イオンが触れないようにして、負イオンの数を減らさないようにでき、結果、電気式集塵フィルタ５ａによる集塵性能を上げることができる。
【００１３】
また、上記静電霧化装置１０の霧化電極１１を本体ケース１ａの吐出口３の上下方向の略中央に配置すると共に、霧化電極１１の上方及び下方にイオン化手段１５をそれぞれ配置したことを特徴とするのが好ましく、これにより、通風ファン４の風速が大となる吐出口３の略中央付近からミストを強く吹き出させて、より遠くに拡散することができる。また、イオン化手段１５を霧化電極１１の上方に配置することで、負イオンの数を減らさないようにして集塵性能を高めることができると共に、霧化電極１１の下方にもイオン化手段１５を追加することにより、下からの負イオンがミストに触れてイオン数が減少しても、上方のイオン化手段１５から出るイオン数と合計すれば、負イオン数が増大するため、高い集塵性能を得ることができる。
【００１４】
また、上記静電霧化装置１０の霧化電極１１とイオン化手段１５とを、本体ケース１ａの吐出口３の横方向Ｍに並列に配置したことを特徴とするのが好ましく、これにより、霧化電極１１より発生するミストに、イオン化手段１５からの負イオンが触れることがなく、負イオンの数の減少を防ぎ、集塵効率を維持することができる。
【００１５】
また、上記イオン化手段１５を、吐出口３における静電霧化装置１０の霧化電極１１よりも本体ケース１ａの吸気口２に近い位置Ｍ１に配置したことを特徴とするのが好ましく、これにより、イオン化手段１５からの負イオンが吐出口３の吸気口２に近い位置Ｍ１から放出されるので、室内を循環する気流に乗ってイオン化された塵埃が吸気口２に運ばれやすくなり、集塵性能を高めることができる。
【発明の効果】
【００１６】
本発明の静電霧化装置を備えた空気調和機にあっては、静電霧化装置からのミストにより室内の浮遊カビや悪臭を除去できると共に、静電霧化装置に従来のように水を補給する必要がないため便利に使用でき、さらに静電霧化装置の放熱フィンの熱交換効率を高めることができ、静電霧化装置を長時間安定して使用できる効果が得られる。さらに通気抵抗が低い電気式集塵フィルタにより圧力損失を少なくでき、吐出口からの浄化空気の風量を増やすことができ、静電霧化により発生するミストを室内にさらに広く行き渡らせることができる。また、静電霧化装置で発生するミストにイオン化手段で発生する負イオンが触れにくくなり、負イオンがミストに吸収されて減少するという悪影響をなくすことができ、浮遊するウイルスやアレルゲン物質を抑制することができ、塵埃を負イオンに帯電させて吸気口より吸い込み、電気式集塵フィルタで効率良く集塵することができる効果が得られる。
【発明を実施するための最良の形態】
【００１７】
以下、本発明を添付図面に示す実施形態に基いて説明する。
【００１８】
空気調和機１の本体ケース１ａは、図１〜図３に示すように、縦長形状に形成されていると共に、本体ケース１ａの前面１ｂは、平面視でその中央部が前方に凸となるように小さく湾曲しており、背面１ｅはその中央部が後方に凸となるように大きく湾曲していると共に、本体ケース１ａの両側の側面１ｃ，１ｄはそれぞれ背面１ｅと面一状に連設されている。本体ケース１ａの上面は操作盤９（図８）となっている。
【００１９】
本体ケース１ａには吸気口２と吐出口３とが設けられる。吸気口２は、本体ケース１ａの一方の側面１ｃに設けられる。吐出口３は、本体ケース１ａにおける吸気口２とは反対側の前面１ｂ端部に設けられる第１吐出口３ａと、吸気口２とは反対側の他方の側面１ｄに設けられる第２吐出口３ｂとからなる。これら第１吐出口３ａ及び第２吐出口３ｂはそれぞれ縦長状に形成されている。また本例では、第２吐出口３ｂからの風量が第１吐出口３ａからの風量よりも大きくなるように第１吐出口３ａと第２吐出口３ｂの開口面積を異ならせている。
【００２０】
上記吸気口２と吐出口３とを本体ケース１ａ内で連通させる送風経路には、通風ファン４が配置されている。この通風ファン４は吸気口２から吸い込んだ室内の空気を吐出口３から吐出させるものであり、本例では縦方向（垂直方向）に立設して設置されるクロスフローファン４ａで構成されている。クロスフローファン４ａは吸い込み方向から略直角の均一な平面流を得ることができると共に、室内に向けて均一な風をワイドに送ることができるものである。
【００２１】
上記クロスフローファン４ａの吸気流側（上流側）には、集塵フィルタ５及び脱臭フィルタ６がそれぞれフィルタ取付枠７，８（図２）にて取り付けられており、さらに集塵フィルタ５と吸気口２との間にはプレフィルタ（図示せず）が介設されており、吸気口２から吸い込んだ空気から塵埃等を除去できるようになっている。集塵フィルタ５及び脱臭フィルタ６は、それぞれ通風抵抗が小さくなる形状に形成されている。本例では集塵フィルタ５を図４（ｂ）に示すような格子形状に形成され、脱臭フィルタ６を例えば図４（ｃ）に示すようなハニカム形状に形成されている。脱臭フィルタ６は臭気成分（例えば、アセトアルデヒド）を脱臭する機能を有する。集塵フィルタ５は室内の空間に漂っている塵埃を捕集する機能を有するものであり、本例では電気式集塵フィルタ５ａで構成されている。この電気式集塵フィルタ５ａにはプラスの高電圧が印加され、後述するイオン化手段１５からの負イオンにより帯電された塵埃を電気式集塵フィルタ５ａにて効率良く集塵できるようになっている。なお各フィルタ５ａ，６の通気抵抗は、予め格子或いはハニカムの目の粗さを変更したり、空孔率を変更したり、積層する枚数を変更したりすることにより調整可能である。
【００２２】
一方、静電霧化装置１０は、クロスフローファン４ａの吐出流側（下流側）に配置されている。静電霧化装置１０は、図７に示すように、放電電極となる霧化電極１１と、霧化電極１１と対向して位置する対向電極１６と、霧化電極１１を冷却して結露させるための冷却手段１２と、冷却手段１２で発生した熱を放熱する放熱フィン１３と、霧化電極１１に高電圧を印加して霧化電極１１で結露した水を静電霧化させる電圧印加部（図示せず）とを備えており、霧化電極１１と対向電極１６との間に高電圧を高圧印加板１７を介して印加することで、霧化電極１１に結露している水を静電霧化させてミストを生成して、空気調和機１により調和された空気に供給混合するものである。なお、対向電極１６は必ずしも必要ではなく、霧化電極１１のみを備えたものであってもよい。
【００２３】
上記霧化電極１１は、第１吐出口３ａの近傍に設けられている。霧化電極１１は熱伝導性の良い材料で形成することが望ましく、例えば銅や銀が良好である。なお霧化電極１１と対向電極１６との間に高電圧を印加する高圧印加板１７は、導電性の良い金属材料が望ましく、本例では耐食性が良く安価なステンレス鋼（ＳＵＳ）を用いている。
【００２４】
上記霧化電極１１は冷却手段１２で冷却されて、空気中の水分を基に霧化電極１１の表面に水を結露させるようになっている。冷却手段１２の一例として、図７に示すように、ペルチェ素子１４からなる冷却源を例に挙げる。もちろんペルチェ素子１４に限らず、一般の熱交換器であってもよい。
【００２５】
上記ペルチェ素子１４からなる冷却源は、冷却部１４ａと放熱部１４ｂとを有し、冷却部１４ａを絶縁板１４ｃを介して霧化電極１１に密着固定してある。これにより、冷却部１４ａにて絶縁板１４ｃを介して霧化電極１１部分を冷却し、霧化電極１１部分に空気中の水分を結露させて、霧化電極１１部分に静電霧化するための水を自動的に供給できるようになっている。なお絶縁板１４ｃは、霧化電極１１に高電圧を印加した場合にペルチェ素子１４に高電圧が加わることによりペルチェ素子１４が破壊されるのを防止するためのものであり、高い熱伝導性と高い絶縁性能が満たされるものであればよく、本例ではセラミック材料の一つであるアルミナ（ＡｌＯ３）を用いている。
【００２６】
また、上記放熱部１４ｂには効率良く放熱するために放熱フィン１３が密着固定されている。放熱フィン１３はクロスフローファン４ａの送風経路に配置される。放熱フィン１３は、ペルチェ素子１４で熱交換された熱を放熱するためのものであり、熱伝導性の良い材料で形成することが望ましい。一例として霧化電極１１と同様に、銅や銀が理想的であるが、放熱性効率は放熱フィン１３から空気中へ放熱することで決定されるため、アルミニウム、鉄などの安価な金属で十分である。この放熱フィン１３は、図５の例では第１吐出口３ａ側に設けているが、第２吐出口３ｂ側に設けてもよい。いずれの場合も、クロスフローファン４ａからの風により放熱フィン１３を冷却できるようになる。また本例では図３に示すように複数枚の放熱フィン１３で構成し、これを通風方向と略平行に向けて配置するのが望ましい。この場合、複数枚の放熱フィン１３の隙間に風が流れて放熱効果が高められると共に、放熱フィン１３の通気抵抗を低くできるようになる。つまり、通気抵抗の低減によりエネルギーのロスを少なくして吐出風量を増やすことができ、そのうえカバー１９によって放熱フィン１３の汚れを防止できると共に、カバー１９に設けた多数の開口孔によって放熱効果を確保できるようにしている。
【００２７】
本体ケース１ａの第１吐出口３ａ側には、第１吐出口３ａから吐出する空気に負イオンを供給するためのイオン化手段１５が設けられている。本例では図６に示すように、第１吐出口３ａ側に、静電霧化装置１０の霧化電極１１と並んで、イオン化手段１５が配列されている。イオン化手段１５は例えば針状の放電電極１５ａで構成され、放電電極１５ａにマイナスの高電圧を印加することで、吐出口３から吐出する空気に負イオンが供給されるようになり、これにより、室内の塵埃が負イオンに帯電した状態となり、これの塵埃が本体ケース１ａの吸気口２より吸い込まれることでプラスに帯電させた電気式集塵フィルタ５ａで集塵されるようになっている。
【００２８】
次に動作を説明する。空気調和機１を運転すると、クロスフローファン４ａが駆動し、吸気口２から吸い込まれた室内の空気が電気式集塵フィルタ５ａを通り、清浄化された空気が第１吐出口３ａと第２吐出口３ｂとに分流して室内にそれぞれ放出される。ここで、静電霧化装置１０の電圧印加部の駆動により、第２吐出口３ｂ側に設けた霧化電極１１からナノメータサイズのミストが発生し、クロスフローファン４ａによる送風により第２吐出口３ｂ側から吹き出す気流に乗ってミストが図５の矢印Ｉで示すように室内に広く散布されて室内の浮遊するカビ菌や悪臭を取り除く。一方、第１吐出口３ａ側に設けたイオン化手段１５からの負イオンは、風量の大きい第１吐出口３ａから吹き出す気流に乗って図５の矢印IIで示すように室内に放出される。負イオンを含む清浄な空気が放出されると、室内の空気中に含まれる多くの粉塵や埃がマイナスに帯電された状態となり、このマイナスに帯電された塵埃を含む空気が吸気口２から吸い込まれてプラスの電気式集塵フィルタ５ａに引き寄せられて捕集される。その後再び、清浄な空気がクロスフローファン４ａにより第１吐出口３ａ及び第２吐出口３ｂに送られることとなり、静電霧化装置１０及びイオン化手段１５がそれぞれ塵埃で汚染されることがなく、ミスト量の低下及びイオン化効率の低下をそれぞれ防止できると共に、空気の循環も良くなり、室内空気の浄化が促進され、一台の空気調和機１で空調（冷暖房や除湿等）だけでなく、防カビ、消臭、塵埃除去効果が得られるようになる。
【００２９】
しかして、集塵フィルタ５で清浄化された空気を静電霧化装置１０に通すことにより、電圧印加部に微細な埃が付着することがなく、静電霧化装置１０を長時間安定して使用できるようになる。しかもナノメータサイズのミストを搬送する気流が浄化されているので、ナノメータサイズのミストを清浄化された空気に乗せて室内の居住空間に効果的に吹き出すことができ、吐出前のミストに微細な埃や臭気成分を付着させることがなくなる。しかも、縦長状の第１吐出口３ａ全体から風が偏りなくまんべんに吹き出されるようになるので、静電霧化装置１０からのナノメータサイズのミストを縦長状の第１吐出口３ａから室内の居住空間により効率良く拡散させることができる。従って、静電霧化により発生するナノメータサイズのミストを室内にさらに広く行き渡らせることができる結果、吐出前のミストに微細な埃や臭気成分を付着させることなく、且つ吐出されるミスト量を減少させることなく吐出口３から室内に広く行き渡らせることができるので、室内の浮遊カビや悪臭に作用して抑制する効果を高めることができる。
【００３０】
また、静電霧化装置１０は、空気中に含まれる水分を基に霧化電極１１の結露した水を静電霧化させてナノメータサイズのミストを生成するので、静電霧化装置１０への水の供給が不要となり、水補給の手間を削減でき、便利に使用することができる。
【００３１】
また本例では、外形寸法が小さい筒形状のクロスフローファン４ａを縦方向に立設したので、本体ケース１ａ内部での設置面積を小さくでき、本体ケース１ａの薄型化が可能となり、空気調和機１を容易にスリム化できるようになる。そのうえ本例では集塵フィルタ５及び脱臭フィルタ６を通風抵抗を小さくし、且つ静電霧化装置１０の放熱フィン１３をクロスフローファン４ａの通風方向と略平行に向けて配置したので、圧力損失を小さくでき、結果、本体ケース１ａの薄型化を図りつつ、クロスフローファン４ａからの風量を十分に確保できるようになる。そのうえ第２吐出口３ｂの風量を第１吐出口３ａの風量よりも小さくすることで、本体ケース１ａの前面１ｂ側から勢い良く気流が吹きつけることがなくなり、風量を十分に確保しながら、気流によるドラフト感を緩和できるようになる。
【００３２】
さらに本例では、静電霧化装置１０の放熱フィン１３をクロスフローファン４ａの吐出流側に配置したので、室内空気と同じ温度の空気が放熱フィン１３に当たるようになり、これによりペルチェ素子１４の冷却源の放熱を助けることができ、しかも清浄化された空気が放熱フィン１３に当たるので、放熱フィン１３の帯電や劣化を防ぐことができるので、冷却源の冷却性能を劣化させることがないため、放熱フィン１３の熱交換効率を高め、静電霧化装置１０からのミストを長期間安定して発生させることができる。しかも放熱フィン１３が配置される第２吐出口３ｂは第１吐出口３ａよりも風量が大きく設計されているため、放熱フィン１３の放熱効果をより高めることができる。
【００３３】
ところで、イオン化手段１５から発生する負イオンと静電霧化により発生するミストとが接触すると、負イオンがミストに吸収されて負イオンの数を減少させてしまう。そこで、霧化電極１１から離れた位置にイオン化手段１５を設けることにより、負イオンとミストとを触れないようにして、負イオンの減少を防止でき、これにより、イオン化手段１５から発生するアクティブな負イオンを室内の居住空間に吹き出させることができ、浮遊するウイルスやアレルゲン物質を効果的に抑制できるものである。さらに、塵埃を負イオンに帯電させて吸気口２より吸い込み、プラスに帯電させた電気式集塵フィルタ５ａにクーロン力の作用で効率良く集塵されるので、高い集塵性能が得られるものである。霧化電極１１とイオン化手段１５の配置の態様例を以下、説明する。
【００３４】
図８は静電霧化装置１０の霧化電極１１を本体ケース１ａの吐出口３の上下方向の略中央に配置すると共に、イオン化手段１５を静電霧化装置１０の霧化電極１１よりも上方に配置した場合の一例である。イオン化手段１５より発生する負イオンは静電霧化により発生するミストよりも軽いため、イオン化手段１５を霧化電極１１よりも上方に配置することで、静電霧化て生成されたミストに負イオンが触れないようにでき、負イオンの数を減らさないようにできる。
【００３５】
また図９は、霧化電極１１の上方及び下方にイオン化手段１５をそれぞれ配置した場合の一例である。イオン化手段１５を霧化電極１１の上方だけでなく、下方にも追加することにより、下からの負イオンがミストに触れてイオン数が減少しても、上方のイオン化手段１５から出るイオン数と合計すれば、負イオン数を増大させることができる。
【００３６】
また図１０は、静電霧化装置１０の霧化電極１１とイオン化手段１５とを、本体ケース１ａの吐出口３の横方向Ｍに並べて配置した場合の一例である。これにより、負イオンとナノメータサイズのミストとが触れ合うことなく略平行に吹き出すようになり、負イオンの数を増やして室内への拡散が助長されることとなる。
【００３７】
さらに図１１は第１吐出口３ａにイオン化手段１５を設けるにあたって、静電霧化装置１０の霧化電極１１よりも本体ケース１ａの吸気口２に近い位置Ｍ１に配置した場合の一例である。つまり、吸気口２と第１吐出口３ａは図５のような位置関係となっており、イオン化手段１５からの負イオンが吸気口２に近い位置Ｍ１から放出されることで、その負イオンは図５の矢印IIで示す室内を循環する気流に乗って吸気口２側へ戻るようになる。従って、イオン化された塵埃が吸気口２に運ばれやすくなって、プラスに帯電させた電気式集塵フィルタ５ａに効率良く集塵されるようになり、結果、高い集塵性能を確保できるものとなる。
【図面の簡単な説明】
【００３８】
【図１】本発明の一実施形態に用いる空気調和機の平面断面図である。
【図２】同上の第１吐出口と第２吐出口とが仕切られた状態を説明する平面断面図である。
【図３】同上の空気調和機の一部破断した斜視図である。
【図４】（ａ）は同上の集塵フィルタと脱臭フィルタとの斜視図、（ｂ）は（ａ）のＡ部の拡大図、（ｃ）は（ａ）のＢ部の拡大図である。
【図５】同上のミストを含んだ空気の流れ（矢印Ｉ）と、ミストを含まない負イオンが供給された空気の流れ（矢印II）とをそれぞれ説明する概略平面図である。
【図６】同上の第１吐出口側に静電霧化装置とイオン化手段とを配置した場合の説明図である。
【図７】同上の静電霧化装置を説明する破断斜視図である。
【図８】（ａ）は同上の静電霧化装置の上下両側にそれぞれイオン化手段を配置した実施形態を示し、（ｂ）〜（ｄ）は（ａ）のＣ部、Ｄ部、Ｅ部の拡大図である。
【図９】同上の静電霧化装置の上方のみにイオン化手段を配置した実施形態を示し、本図中においてＦ部及びＧ部はイオン化手段が配置される部分の拡大図、Ｈ部は静電霧化装置が配置される部分の拡大図である。
【図１０】同上の静電霧化装置とイオン化手段とを横方向にずらして配置した実施形態を示し、本図中においてＩ部及びＫ部はイオン化手段が配置される部分の拡大図、Ｊ部は静電霧化装置が配置される部分の拡大図である。
【図１１】同上の１つの吐出口に静電霧化装置とイオン化手段とを横に並べて配置した実施形態を示し、本図中においてＬ部はイオン化手段と静電霧化装置とが配置される部分の拡大図である。
【符号の説明】
【００３９】
１  空気調和機
１ａ  本体ケース
１ｂ  前面
１ｄ  側面
２  吸気口
３  吐出口
３ａ  第１吐出口
３ｂ  第２吐出口
４  通風ファン
４ａ  クロスフローファン
５ａ  電気式集塵フィルタ
１０  静電霧化装置
１１  霧化電極
１２  冷却手段
１３  放熱フィン
１５  イオン化手段
Ｍ  横方向
Ｍ１  吸気口に近い位置
【図１】
0004551288.tif 000002
【図２】
0004551288.tif 000003
【図３】
0004551288.tif 000004
【図４】
0004551288.tif 000005
【図５】
0004551288.tif 000006
【図６】
0004551288.tif 000007
【図７】
0004551288.tif 000008
【図８】
0004551288.tif 000009
【図９】
0004551288.tif 000010
【図１０】
0004551288.tif 000011
【図１１】
0004551288.tif 000012